(57)【特許請求の範囲】
【請求項１】
衛星放送、地上放送またはケーブル放送に適する複数の異なる変調形式のうちの１つの形式においてビデオ情報で変調された搬送波を受信し適応的に処理するシステムのための適応型復調回路であって、
前記変調された搬送波からタイミング・データを再生するタイミング再生回路と、
前記タイミング・データに応答して、前記異なる変調形式の前記搬送波から前記ビデオ情報を再生する適応型搬送波再生回路と、
前記搬送波再生回路内に在り、前記ビデオ情報を再生するために、前記搬送波再生回路により供給されるデータに、前記異なる変調形式に適する複数の組の判定閾値から選択される一組の判定閾値を適用する、選択可能なスライサ回路とを含む、前記適応型復調回路。
【請求項２】
前記スライサ回路の前に発生された信号と前記スライサ回路の後に発生された信号との差に応じて利得制御出力を発生する自動利得制御回路を更に含む、請求項１記載の復調回路。
【請求項３】
前記タイミング再生回路が、前記変調された搬送波の超過帯域幅の変動を補償するために構成可能なフィルタを含む、請求項１記載の復調回路。
【請求項４】
前記選択可能なスライサ回路が、ＰＡＭ，ＱＰＳＫまたはＱＡＭシンボル座標分布のために適正な判定閾値を供給する、請求項１記載の復調回路。
【請求項５】
前記ビデオ情報の変調形式が、複数のシンボル点を含んでいるシンボル座標分布を使用する、請求項１記載の復調回路。
【請求項６】
前記搬送波再生回路が更に、伝送路に関連する誤差を補正するために選択可能な等化フィルタ回路を含み、前記等化フィルタ回路の構成が前記変調された搬送波の変調形式に従って選択される、請求項１記載の復調回路。
【請求項７】
前記選択可能な等化フィルタ回路がフィード・フォワード等化フィルタと判定フィードバック等化器とを含んでいる、請求項６記載の復調回路。
【請求項８】
前記搬送波再生回路により発生される信号を差分的に復号する、選択可能な差分復号器を更に含んでいる、請求項１記載の復調回路。
【請求項９】
前記搬送波再生回路が異なるクロック周波数で動作する、請求項１記載の復調回路。
【請求項１０】
前記異なる変調形式から得られる前記再生されたビデオ情報に生じる誤差の推定を出力として発生する、信号の品質検出器を更に含んでいる、請求項１記載の復調回路。
【請求項１１】
前記適応型搬送波再生回路が、前記誤差の推定に応答して前記ビデオ変調された搬送波の変調形式と両立するように自動的に構成される、請求項１０記載の復調回路。
【請求項１２】
前記誤差の推定が、前記搬送波再生回路で処理される信号の直交成分の平方の和の関数である、請求項１０記載の復調回路。
【請求項１３】
前記誤差の推定が第１と第２の値の差の関数であり、前記第１の値は前記スライサ回路に入力される信号の直交成分の平方の和を表し、前記第２の値は前記スライサ回路からの出力信号の直交成分の平方の和を表す、請求項１０記載の復調回路。
【請求項１４】
複数の異なる入力形式のうちの１つの形式でデータを含んでいる入力信号を適応的に処理する受信機であって、前記データが複数の異なる符号化形式のうちの１つの形式で符号化されており、
受信された入力信号の形式に応じて前記入力信号からタイミング情報を再生する適応型タイミング再生回路と、
前記タイミング情報に応答して前記データを再生する適応型データ再生回路と、
前記データ再生回路内に在り、前記データを再生するために、前記データ再生回路により供給されるデータに、前記異なる入力形式に適する複数の組の判定閾値から選択される一組の判定閾値を適用する、選択可能なスライサ回路と、
受信されたデータ符号化形式に応じて、前記再生されたデータを選択的に復号し、再生され復号された出力データを発生する適応型復調器とを含んでいる、前記受信機。
【請求項１５】
前記入力信号が前記データで変調された搬送波であり、前記入力形式が変調形式であり、前記変調形式と前記符号化形式が衛星放送、地上放送またはケーブル放送に適しており、且つ前記データ再生回路が搬送波再生回路である、請求項１４記載の受信機。
【請求項１６】
前記再生され復号された出力データに生じる誤差の推定を出力として発生する、信号の品質検出器を更に含んでいる、請求項１４または１５に記載の受信機。
【請求項１７】
前記適応型データ再生回路が、前記誤差の推定に応答して前記受信された搬送波変調形式と両立するように自動的に構成される、請求項１６記載の受信機。
【請求項１８】
複数の異なる変調形式のうちの１つの形式においてビデオ・データで変調された搬送波を適応的に処理する受信機であって、前記変調ビデオ・データが複数の異なる形式のうちの１つの形式で符号化されており、
受信された搬送波変調形式に応じて前記変調された搬送波からタイミング・データを再生する適応型タイミング再生回路と、
前記タイミング・データに応答して、前記変調された搬送波から変調データを再生する適応型搬送波再生回路と、
前記搬送波再生回路内に在り、前記変調データを再生するために、前記搬送波再生回路により供給されるデータに、前記異なる変調形式に適する複数の組の判定閾値から選択される一組の判定閾値を適用する、選択可能なスライサ回路と、
受信されたデータ符号化形式に応じて、前記再生された変調データをビタビ復号し且つビタビ復号された出力を発生する適応型ビタビ復調器と、
前記ビタビ復号された出力をデインタリーブし且つ、複数のデインタリーブ関数から選択されたデインタリーブ関数に従って出力を発生する適応型デインタリーブ回路と、
前記デインタリーブされた出力の誤差を訂正し、誤差を訂正された出力を発生する適応型誤差処理装置と、
誤差を訂正された前記出力のスクランブルを解除するデスクランブル回路とを含んでいる、前記受信機。
【発明の詳細な説明】
産業上の利用分野
本発明は、ディジタル信号処理の分野に関し、特に、例えば、衛星放送または地上放送用の異なる標準に合わせて符号化されるビデオ信号の復調と復号に関する。
発明の背景
地上放送または衛星放送用に使用されるディジタル・テレビジョン・システムは、伝送用のテレビジョン信号を異なる方法で且つ異なる信号形式で変調し符号化する。採用される特定の方法と形式は、国際的に承認された仕様によって規定される。欧州衛星通信システムのために作成された１つのこのような仕様書は、欧州放送連盟（１９９３年１１月１９日）による「衛星によるディジタル多番組テレビのためのベース・ライン変調／チャンネル符号化システム」である。このシステムは、ダイレクト・ビデオ・ブロードキャスト（Ｄｉｒｅｃｔ  Ｖｉｄｅｏ  Ｂｒｏａｄｃａｓｔ：ＤＶＢ）システムとしても知られており、衛星テレビ信号とケーブル・テレビ信号の分配を行なう。すでに米国で使用され且つ専有商業仕様書で規定されている別の伝送システムは、ディジタル衛星システム（Ｄｉｇｉｔａｌ  Ｓａｔｅｌｌｉｔｅ  Ｓｙｓｔｅｍ：ＤＳＳ）である。しかしながら、伝送される信号形式が承認された標準で規定されてもあるいは専有の商業仕様書で規定されても、ビデオ信号の受像機は伝送された信号形式を受信できなければならない。異なるタイプの伝送（例えば、衛星放送、地上放送、ケーブル放送）に関連して、異なる信号形式を受信するシステムは、Ｊ．Ｓ．スチュワート（Ｓｔｅｗａｒｔ）氏外による「衛星、地上およびケーブル伝送されるＦＥＣ圧縮されたディジタル・テレビジョン・データの多チャンネル受像機に使用するのに適する、パンクチャード（一部消去形）および実用的トレリス（格子形）符号畳み込み（Ｐｕｎｃｔｕｒｅｄ  ａｎｄ  Ｐｒａｇｍａｔｉｃ  Ｔｒｅｌｌｉｓ  Ｃｏｄｅ  Ｃｏｎｖｏｌｕｔｉｏｎａｌ）デコーダのビタビ（Ｖｉｔｅｒｂｉ）デコーダのためのブランチ・メトリック・コンピュータ」という名称の米国特許第５，４９７，４０１号に開示されている。
ビデオ信号受像機は、受信される信号形式に特に関連する復調機能と復号機能を使用する。復調機能は、変調のタイプ、信号の形式、伝送系で使用されるデータ・レートに依存し、そして単一出力または差分（ｄｉｆｆｅｒｅｎｔｉａｌ、残差、差動）出力が必要とされるか否かに依存する。復号機能は、符号化、スクランブル、インターリーブのタイプ、および伝送系のエンコーダで使用される符号レート（ｃｏｄｅ  ｒａｔｅ）に依存する。
発明の概要
本発明による信号処理回路は、例えば、ディジタル・テレビ信号処理システムに関連して多数の復調ならびに復号機能に対応できて有利であることが認識される。本発明の原理に従い、開示されたディジタル信号処理回路は、異なるタイプの復調機能と復号機能を組み込んでいる適応型復調・復号回路を提供する。
例えば、衛星放送、地上放送またはケーブル放送に適するいくつかの可能な変調形式の１つにおいてビデオ情報で変調された搬送波信号を受信し適応的に処理するシステムにおいて、本発明の原理に従う適応型復調器はビデオ情報を再生する。復調器は、変調された搬送波信号からタイミング・データを再生するタイミング再生回路を含んでいる。また復調器は、ビデオ情報を再生するためにこのタイミング・データを使用する適応型搬送波再生回路を含んでいる。搬送波再生回路内で、選択可能なスライサ回路が、判定閾値（ｄｅｃｉｓｉｏｎ  ｔｈｒｅｓｈｏｌｄ）のいくつかの可能な組のうちの１つを、搬送波再生回路により発生されるデータに適用して、ビデオ情報を再生する。
本発明の特徴に従い、適応型復調器は再生されたビデオ情報から、復号された出力データを供給する。
本発明の別の特徴に従い、信号の品質（ｑｕａｌｉｔｙ）検出器は、搬送波再生回路の信号を使用して、再生されたビデオ情報内にある誤りを推定する。この適応型搬送波再生回路は、誤りの推定（ｅｓｔｉｍａｔｅ）に応答して、ビデオ変調された搬送波に両立する（ｃｏｍｐａｔｉｂｌｅ）ように自動的に構成される。
本願発明の目的
異なるタイプの伝送（例えば、衛星放送、地上放送、ケーブル放送）に関連して、異なる信号形式のビデオ信号を受信できる適応型復調回路および受信機を提供することにある。
本願発明の効果
複数の異なる変調形式のうちの１つの形式においてビデオ情報で変調された搬送波を受信したときに、搬送波再生回路内において、選択可能なスライサ回路が、複数の判定閾値のうちの１つを選択し、搬送波再生回路により発生されるデータに適用することにより、ビデオ情報を再生するができる。
請求の範囲と実施例との対応関係を図面で使われている参照符号で示すと次の通りである。
１．衛星放送、地上放送またはケーブル放送に適する複数の異なる変調形式のうちの１つの形式においてビデオ情報で変調された搬送波を受信し適応的に処理するシステムのための適応型復調回路であって、
前記変調された搬送波からタイミング・データを再生するタイミング再生回路（２５）と、
前記タイミング・データに応答して、前記異なる変調形式の前記搬送波から前記ビデオ情報を再生する適応型搬送波再生回路（２５）と、
前記搬送波再生回路内に在り、前記ビデオ情報を再生するために、前記搬送波再生回路により供給されるデータに、前記異なる変調形式に適する複数の組の判定閾値から選択される一組の判定閾値を適用する、選択可能なスライサ回路（３０，３５，４０）とを含む、前記適応型復調回路。
２．前記スライサ回路の前に発生された信号と前記スライサ回路の後に発生された信号との差に応じて利得制御出力を発生する自動利得制御（ＡＧＣ）回路（２５；２７０）を更に含む、請求項１記載の復調回路。
３．前記タイミング再生回路が、前記変調された搬送波の超過帯域幅の変動を補償するために構成可能なフィルタを含む、請求項１記載の復調回路。
４．前記選択可能なスライサ回路が、ＰＡＭ，ＱＰＳＫまたはＱＡＭシンボル座標分布のために適正な判定閾値を供給する、請求項１記載の復調回路。
５．前記ビデオ情報の変調形式が、複数のシンボル点を含んでいるシンボル座標分布を使用する、請求項１記載の復調回路。
６．前記搬送波再生回路が更に、伝送路に関連する誤差を補正するために選択可能な等化フィルタ回路（２２０）を含み、前記等化フィルタ回路の構成が前記変講調された搬送波の変調形式に従って選択される、請求項１記載の復調回路。
７．前記選択可能な等化フィルタ回路がフィード・フォワード等化フィルタと判定フィードバック等化器とを含んでいる、請求項６記載の復調回路。
８．前記搬送波再生回路により発生される信号を差分的に復号する、選択可能な差分復号器（４５）を更に含んでいる、請求項１記載の復調回路。
９．前記搬送波再生回路が異なるクロック周波数で動作する、請求項１記載の復調回路。
１０．前記異なる変調形式から得られる前記再生されたビデオ情報に生じる誤差の推定を出力として発生する、信号の品質検出器（２７５）を更に含んでいる、請求項１記載の復調回路。
１１．前記適応型搬送波再生回路が、前記誤差の推定に応答して前記ビデオ変調された搬送波の変調形式と両立するように自動的に構成される、請求項１０記載の復調回路。
１２．前記誤差の推定が、前記搬送波再生回路で処理される信号の直交成分の平方の和の関数である、請求項１０記載の復調回路。
１３．前記誤差の推定が第１と第２の値の差の関数であり、前記第１の値は前記スライサ回路に入力される信号の直交成分の平方の和を表し、前記第２の値は前記スライサ回路からの出力信号の直交成分の平方の和を表す、請求項１０記載の復調回路。
１４．複数の異なる入力形式のうちの１つの形式でデータを含んでいる入力信号を適応的に処理する受信機であって、前記データが複数の異なる符号化形式のうちの１つの形式で符号化されており、
受信された入力信号の形式に応じて前記入力信号からタイミング情報を再生する適応型タイミング再生回路（２５）と、
前記タイミング情報に応答して前記データを再生する適応型データ再生回路（２５）と、
前記データ再生回路内に在り、前記データを再生するために、前記データ再生回路により供給されるデータに、前記異なる入力形式に適する複数の組の判定閾値から選択される一組の判定閾値を適用する、選択可能なスライサ回路（３０，３５，４０）と、
受信されたデータ符号化形式に応じて、前記再生されたデータを選択的に復号し、再生され復号された出力データを発生する適応型復調器（１２）とを含んでいる、前記受信機。
１５．前記入力信号が前記データで変調された搬送波であり、前記入力形式が変調形式であり、前記変調形式と前記符号化形式が衛星放送、地上放送またはケーブル放送に適しており、且つ前記データ再生回路が搬送波再生回路である、請求項１４記載の受信機。
１６．前記再生され復号された出力データに生じる誤差の推定を出力として発生する、信号の品質検出器（２７５）を更に含んでいる、請求項１４または１５に記載の受信機。
１７．前記適応型データ再生回路が、前記誤差の推定に応答して前記受信された搬送波変調形式と両立するように自動的に構成される、請求項１６記載の受信機。
１８．複数の異なる変調形式のうちの１つの形式においてビデオ・データで変調された搬送波を適応的に処理する受信機であって、前記変調ビデオ・データが複数の異なる形式のうちの１つの形式で符号化されており、
受信された搬送波変調形式に応じて前記変調された搬送波からタイミング・データを再生する適応型タイミング再生回路（２５）と、
前記タイミング・データに応答して、前記変調された搬送波から変調データを再生する適応型搬送波再生回路（２５）と、
前記搬送波再生回路内に在り、前記変調データを再生するために、前記搬送波再生回路により供給されるデータに、前記異なる変調形式に適する複数の組の判定閾値から選択される一組の判定閾値を適用する、選択可能なスライサ回路（３０，３５，４０）と、
受信されたデータ符号化形式に応じて、前記再生された変調データをビタビ復号し且つビタビ復号された出力を発生する適応型ビタビ復調器（５０，６０）と、
前記ビタビ復号された出力をデインタリーブし且つ、複数のデインタリーブ関数から選択されたデインタリーブ関数に従って出力を発生する適応型デインタリーブ回路（８０，８５，９０）と、
前記デインタリーブされた出力の誤差を訂正し、誤差を訂正された出力を発生する適応型誤差処理装置（１１０）と、
誤差を訂正された前記出力のスクランブルを解除するデスクランブル回路（１１５）とを含んでいる、前記受信機。
【図面の簡単な説明】
図１は、ＤＳＳおよびＤＶＢ形式で符号化された信号を適応的に復調し復号するための本発明の原理による装置のブロック図である。
図２は、ＤＳＳ衛星信号形式を復調し復号するように構成された図１の要素を示すブロック図である。
図３は、ＤＶＢ衛星信号形式を復調し復号するように構成された図１の機能要素を示すブロック図である。
図４は、ＤＶＢケーブル信号形式を復調し復号するように構成された図１の機能要素を示すブロック図である。
図５は、図１の復調装置の更に詳細なブロック図である。
図６は、図５の復調装置のＡＧＣ誤り計算機能を示すブロック図である。
発明の詳細な説明
図１には、本発明に従って構成された、衛星およびケーブル・テレビジョン信号のような相異なる信号フォーマットの信号を復調して復号するシステムが示されている。特に、このシステムは、ＤＳＳ衛星、ＤＶＢ衛星またはＤＶＢケーブルの各信号フォーマットの信号を復調して復号するように機能構成（装置構成）することが可能(configurable)である。この機能構成能力は、これら３種類の信号フォーマットの復調および復号処理に共通の機能を最大限に利用することによって実現した。また、その機能構成能力は、復調および復号機能を適当に選択し、具体的に構成化し、インタフェースを形成して実現した。
図１において、ビデオデータで変調された搬送波（キャリア）が、アンテナ１５によって受信され、回路網２０によって処理されディジタル化される。その結果得られたディジタル出力信号は、復調器１０によって復調され、復号器１２によって復号される。復号器１２の出力はさらに処理されて、表示装置によって表示するのに適した伸張（復元）出力ビデオデータが生成される。復調器１０および復号器１２は、共に、インタフェース１００を介してマイクロコントローラ１０５によって選択される相異なるタイプの復調および復号機能が組込まれた適応的復調および復号回路網である。また、復調器１０および復号器１２は、共に、マイクロコントローラ・インタフェース１００からの制御信号(control)によって機能構成が設定される。インタフェース１００から供給される制御信号の状態(status)は、マイクロコントローラ１０５からインタフェース１００に供給される信号によって決定される。図２においては、図１の復調器１０および復号器１２が、ＤＳＳ衛星信号フォーマットを受信するように機能構成されている。図３および４においては、図１の復調器１０および復号器１２が、それぞれＤＶＢ衛星信号フォーマットとＤＶＢケーブル信号フォーマットを受信するように機能構成されている。機能構成設定可能な復調器１０および機能構成設定可能な復号器１２は、例えば集積回路のような単一の信号処理デバイス（素子）に有利な形態で収容することができる。
機能構成設定可能な復調器１０は、ＤＳＳおよびＤＶＢ信号フォーマットの各々を復調するのに必要な機能を実行する。復調器１０の主要な機能は、搬送波周波数の復元およびトラッキング（追従）、送信データ・クロック周波数の復元、およびビデオデータそのものの復元である。また、その復調器は、ユニット２０においてアナログ−ディジタル変換する前にアナログ入力データを適正にスケール処理（scale、拡大縮小）するためのＡＧＣ回路網（図５）を含んでいる。さらに、その復調器の機能は、ユニット２５、３０、３５、４０および４５によって具体的に構成されている。タイミング復元、搬送波復元、スライサおよび差分復号器の各動作は、それぞれ既知のものであり、その概要は、例えば参考文献“ディジタル通信(Digital Communication)”、リー氏およびメサーシュミット氏(Lee,Messerschmidt)、（米国、マサチュセッツ州、ボストンのクルワー・アカデミック・プレス社(Kluwer Academic Press)、１９８８年）に記載されている。
テーブルＩには、３つの信号フォーマット・モードにおける復調器１０の相異なる機能特性が示されている。
テーブルＩ．ＤＳＳモードおよびＤＶＢモードにおける復調器１０の機能
0003795528.tif 000002
復調器１０は、テーブルＩに示された３種類の入力信号フォーマットに対する、データ・クロック・レート、フィード・フォワード等化、デシジョン（判断）フィードバック等化、過剰（余裕）帯域幅ファクタ（係数）（ＥＢＦ、Excess Bandwidth Factor）、変調タイプ（形式）、シンボル座標分布（コンステレーション、座標配置、座標配列）および復号法の各相違に対応することができる。そのシステムが確実に３種類の入力信号フォーマットの最高および最低のデータ・クロック周波数で動作できるようにすることによって、そのクロック・レートの相違に対応できるようになる。その他の相違には、関係する復調機能の構成を以下説明するように設定することによって対応できる。
図５には、図１の復調器１０がより詳細に示されている。図５において、アンテナ１５で受信された入力信号は、ディジタル形式に変換されて入力回路網２０によって処理される。回路網２０は、無線周波数（ＲＦ）同調器（チューナ）、および入力ビデオ信号をさらに処理するのに適した低周波数帯域にダウンコンバート（逓降変換）する中間周波数（ＩＦ）ミキサ（混合器）および増幅段２００を含んでいる。また、回路網２０は、利得（ゲイン）制御形増幅器（ＡＭＰ）２０５および位相分割回路網２０７を含んでいる。位相分割回路網は、受信ビデオ信号を互いに直交関係にあるＩおよびＱ成分（コンポーネント）に分割（split、分離）する。増幅器２０５は、回路網２０内のアナログ−ディジタル変換器（Ａ／Ｄ）２１０によってディジタル化するために、ＩおよびＱ成分を適正にスケール処理する。増幅器２０５用の自動利得制御（ＡＧＣ）信号は、後で説明するＡＧＣエラー検出器回路網２７０から供給される。ユニット２１０から供給されたディジタル信号は、復調器１０のマルチプレクサ（多重化器）２１５に供給される。
衛星モード（ＤＳＳまたはＤＶＢ）において、マルチプレクサ２１５は、制御信号による決定に従って、回路網２０から供給されたディジタル化ビデオ信号をローテータ（rotator、回転器）２２５に向けて転送し(steer)、ユニット２２０内のフィード・フォワード等化器（ＦＦＥ）をバイパス（側路）する。また、ケーブル・モードにおいては、マルチプレクサ２１５は、制御信号による決定に従って、そのディジタル信号を、ユニット２２０のフィード・フォワード等化器を介してローテータ２２５（例えば、複素（complex）マルチプライア（乗算器））に向けて転送する。フィード・フォワード等化器は、適応的ＦＩＲタイプ（有限インパルス応答型）のディジタル・フィルタであり、周波数／位相の乱れまたはばらつき（不規則性）のような伝送チャンネルの乱れ（摂動）を補償する。
マルチプレクサ２１５から供給された出力データは、ベースバンド・ビデオ情報を復元するためのユニット２２５、２２０、２３０、３０、３５、４０、２６５、２６０および２５５からなる搬送波復元ループによって処理される。ユニット２１５から供給されるデータは、搬送波復元ループ・ローテータ２２５への入力において、複素ＩおよびＱ直交成分の形式のシンボル・シーケンス（順次形式）のデータである。このシンボル・シーケンスは、２進（２値）データ・シーケンスであり、その各シンボルは割当てられたディジタル値で表される。１組（群）のシンボルは、複素平面において、いわゆる信号座標分布（信号コンステレーション）として知られている１組の複数の点として表される。ＤＳＳおよびＤＶＢ衛星信号フォーマットは、４点からなる直交位相シフト・キーイングまたは４相位相偏移変調（ＱＰＳＫ）のシンボル座標分布を使用する。また、ＤＶＢケーブル信号フォーマットは、６４点または２５６点のいずれかからなる直交振幅変調（ＱＡＭ）のシンボル座標分布を使用する。搬送波復元ループは、伝送チャンネルによって加わった搬送波周波数における位相および周波数ジッタによって生じるシンボル点のオフセット（ずれ）およびシンボル点の回転を補償する。この機能は、復元されたデータからエラー（誤差）信号を取出し、それに続いてそのエラー信号をループ入力データに対して適用して、複素マルチプライア（ローテータ２２５）を用いて位相および周波数のジッタを補償することによって達成される。搬送波復元ループの各構成要素の機能は、既知の信号処理技術を用いて、それぞれＩおよびＱの両複素信号成分に対して実行される。
ローテータ２２５の複素マルチプライア機能は、電圧制御発振器（ＶＣＯ）２５５から供給された補償成分をユニット２１５の出力データに乗じて、その補償済みデータを出力として生成する。ローテータ２２５から供給されたその補償済みデータは、マルチプレクサ２３０を介してスライサ３０および３５に転送される。衛星モードにおいては、マルチプレクサ２３０は、制御信号に従って、ユニット２２０のデシジョン・フィードバック等化器（ＤＦＥ）をバイパスする。一方、ケーブル・モードにおいては、マルチプレクサ２３０は、制御信号に従って、ローテータ２２５からの補償済みデータをユニット２２０内のデシジョン・フィードバック等化器に向けて転送する。デシジョン・フィードバック等化器は、ローテータ２２５からのその補償済みデータと、マルチプレクサ４０からの選択されたスライサ出力の遅延しスケール処理されたデータ（バージョン）とを加算する。この加算動作は、既知のデシジョン・フィードバック等化処理であり、ローテータ２２５の補償済みデータ出力におけるシンボル間の干渉を減少させるものである。そのような干渉が顕著でないアプリケーション（適用例）においては、デシジョン・フィードバック等化器は省略してもよい。ユニット２２０からのフィードバック等化されたデータはマルチプレクサ２３０に返送されて、スライサ３０、３５、および復号器１２のビタビ・ユニット５０に転送される。
マルチプレクサ２３０および２１５は、共に等化器２２０の一部として構成されていてもよく、また、衛星系、地上系またはケーブル系の復調構成を固定することが望ましい場合には除去してもよい。さらに、ユニット２２０のフィード・フォワード等化器およびデシジョン・フィードバック等化器は、共に復調器１０の外部構成として示されているが、復調器１０と共に単一の集積回路網に含まれるように構成してもよい。その場合、適応的フィード・フォワード等化器およびデシジョン・フィードバック等化器は、制御信号を使用して適当なフィルタ係数をプログラム設定することによって、特定のモードに対して機能構成が設定されるようにしてもよい。
テーブルＩに示されているように、衛星入力信号フォーマットはＱＰＳＫ変調形であり、またケーブル入力信号フォーマットはＱＡＭタイプである。システムにおいて使用される特定のスライサは、入力信号フォーマットが衛星ＱＰＳＫタイプであるかまたはケーブルＱＡＭタイプであるかに応じて、機能構成制御信号によってマルチプレクサ４０を介して選択される。さらに、ケーブル・モードにおいては、ＱＡＭスライサ３５も、テーブルＩに示されているような、対応する特定のＱＡＭシンボル座標分布用に機能構成が設定される。そして、スライサ３５は、機能構成制御信号に応答して、６４点または２５６点のいずれかの座標分布用のスライサ機能を設定する。
マルチプレクサ２３０からの補正（修正）済み出力は、衛星モードにおいては等化されておらず、ケーブル・モードにおいてはフィードバック等化されたものであり、スライサ３０および３５に転送される。スライサ３０は、マルチプレクサ２３０から供給された補正済み出力を処理して、直交位相シフト・キーイング（ＱＰＳＫ）変調された信号からデータを復元する。同様に、スライサ３５はＱＡＭ信号からデータを復元する。スライサ３０、３５は、元の復調器１０の入力データのシンボル・シーケンスを復元するために、マルチプレクサ２３０からの補正済み出力に対して一連のデシジョン閾値（decision threshold）を適用する。その際、衛星モードにおいては、受信機によって使用されるデータは、復号器１２のビタビ検出ユニット５０および６０（図１）によってマルチプレクサ２３０の補正済み出力から復元される。一方、ケーブル・モードにおいては、受信機によって使用される復元データは、選択されたスライサ（３０または３５）によって供給され、マルチプレクサ４０によって出力される。マルチプレクサ４０の出力は、ユニット４５によって差分復号され、復号器１２のマルチプレクサ６５（図１）に転送される。ケーブル・モードにおいては、マルチプレクサ６５（図１）は、制御信号に応答して、さらに別の処理を施すためにユニット４５からの差分復号出力を選択し、図１におけるビタビ（Viterbi）復号器ユニット５０および６０をバイパスする。差分符号化法／復号法は既知の技術であり、これを使用することによって（ケーブル・モードにおいて）、取出した搬送波および復元したシンボル座標分布における潜在的な(potential)位相の不明瞭度（暖昧さ）に関係する問題を解消することができる。マルチプレクサ４０からの復元データ出力は、衛星モードとケーブル・モードの双方において、復調器１０における搬送波復元ループ、タイミング復元回路網、信号品質検出器およびＡＧＣの各機能によって使用される。
図５を用いて説明を続けると、スライサ３０、３５への入力とマルチプレクサ４０からの復元データ出力とは、搬送波復元ループの位相エラー検出器２６５、低域通過フィルタ２６０およびＶＣＯ２５５によって処理されて、ローテータ２２５によって使用されるＩおよびＱフィードバック補償信号成分が供給される。位相検出器２６５は、スライサ３０および３５への入力とマルチプレクサ４０からのスライサ出力の間の位相および周波数の差（誤差）を表すエラー信号を決定する。このエラー信号は、ユニット２６０によって低域通過濾波（フィルタ処理）され、ＶＣＯ２５５（既知のもの）によって使用されて、ＩおよびＱ直交補償成分が生成される。そのＩおよびＱ直交補償成分はローテータ２２５によって利用されて、そのエラー補償された信号がマルチプレクサ２３０に供給される。これによって、マルチプレクサ２３０に供給された信号は、伝送中に受けたシンボル点のオフセットおよびシンボル点の回転に関係する位相および周波数のエラーが補償されたものとなる。
また、スライサ３０および３５への入力とマルチプレクサ４０からの復元データ出力信号とがＡＧＣエラー検出器２７０によって使用されて、利得制御信号が形成される。この利得制御信号は、プロセッサ２０における増幅器２０５の利得を制御して、プロセッサ２０のアナログ−ディジタル変換器に供給されるＩおよびＱ入力信号が、確実に適正なアナログ−ディジタル変換を行うのに必要な形に適正にスケール処理されるようにする。検出器２７０は、スライサ３０、３５への信号入力の各直交成分（Ｉm、Ｑm）の２乗の和（総和）とマルチプレクサ４０からの出力の各直交成分（Ｉs、Ｑs）の２乗の和との間の差に基づいてエラーを計算する。
図６は、検出器２７０内のＡＧＣエラー計算機能の具体的構成を示している。マルチプレクサ２３０から供給されたスライサ３０、３５の直交入力成分Ｉm、Ｑmは、それぞれマルチプライア３００、３０５によって２乗され、加算器３１５によってその和が計算される。さらに、マルチプレクサ４０からの復元データ出力の直交成分Ｉs、Ｑsを用いて、メモリ３１０内のルックアップ・テーブル中に記憶された値がアクセスされる。この記憶値は、ＩsおよびＱsの２乗値の、和を表す。次いで、減算器３２０によって、メモリ３１０から供給された記憶値を加算器３１５の出力から減算して、その結果、ＡＧＣエラーが得られる。図６の構成の検出器２７０によって使用される算出ＡＧＣエラーは、次の式で与えられる。
ＡＧＣエラー＝（Ｉm2＋Ｑm2）−（Ｉss2＋Ｑss2）
（Ｉm2＋Ｑm2）の項はユニット３１５から得られ、（Ｉss2＋Ｑss2）の項は、ＩsおよびＱsを入力ポインタとして用いてルックアップ・テーブル３１０から（Ｉs2＋Ｑs2）の近似として得られる。このＡＧＣエラーは、原点（０，０）に対する（Ｉm，Ｑm）点のベクトル距離と（Ｉs，Ｑs）点のベクトル距離の間のベクトル距離の間の差の関数であるという点で有利である。また、ＡＧＣエラーは、Ｉm，ＱmおよびＩs，Ｑsの各直交成分によって表される両ベクトル間の角度差とは無関係（独立）であるという点で有利である。ＡＧＣエラー信号は、これらの特徴を有するので、低域通過濾波して、ＡＧＣ増幅器２０５の利得を制御するのに使用することができる。
このＡＧＣエラー計算法は、計算の複雑さを減少させるために本当のエラーよりも好んで使用される。本当のエラーは次の式で与えられる。
0003795528.tif 000003
このような図６のＡＧＣエラー信号を得る構成に代えて、本当のエラー関数または本当のエラー関数を別の形に変形したものを用いてもよい。
算出されたＡＧＣエラー信号は図５の検出器２７０内で低域通過濾波されて、増幅器２０５の利得を制御するための出力信号が生成される。また、ＡＧＣエラー信号は信号品質検出器ユニット２７５にも供給される。
信号品質検出器２７５は、復調器１０への入力信号の信号対雑音（ノイズ）比（Ｓ／Ｎ比、ＳＮＲ）を、ユニット２７０によって供給されたＡＧＣエラー信号を用いて推定する。ユニット２７０は、まず、ＡＧＣエラー信号の絶対値を生成する。次いで、ユニット２７０は、デシジョン閾値をその結果に適用して、ＡＧＣエラーがプログラム（設定）された値の範囲内に位置するかどうかを判断する。これによって、ＳＮＲ推定に対応するＡＧＣエラー値の大きさが判断（決定）される。このＳＮＲ推定は、図１におけるインタフェース１００を介してマイクロコントローラ１０５に供給される。マイクロコントローラ１０５は、ＳＮＲ値が所定の範囲の外側にあるかどうかを判断するようにプログラムされている。ＳＮＲ値が所定の範囲の外側にある場合には、マイクロコントローラ１０５は、異なる別の入力信号フォーマット用の、復調器１０、等化器２２０および復号器１２からなる機能構成設定可能な構成要素を全て含んだそのシステムの機能を再構成する。このようにして、マイクロコントローラ１０５は、供給される入力信号フォーマットを適正に復調および復号するために、インタフェース１００を介した制御信号を用いて復調器１０および復号器１２の各機能を繰り返し再構成（構成を再設定）する。この機能構成設定の機能は、例えば、初期化手順の一部として実行されるようにプログラムするか、またはオペレータ（操作者）がアクセス可能なスイッチからマイクロコントローラへの入力信号に応答して実行されるようにプログラムすることができる。さらに、信号品質検出器２７５は、復調データにおけるエラーまたはＳＮＲの推定を行うための他の方法を用いてもよい。これらの方法は、例えば、搬送波復元ループにおけるスライサの前と後の両データ間の平均２乗誤差（エラー）の計算を含むものであってもよい。平均２乗誤差の計算およびその他のエラー推定の方法は、“ディジタル通信(Digital Communication)”、リー氏およびメサーシュミット氏、（米国、マサチュセッツ州、ボストンのクルワー・アカデミック・プレス社(Kluwer Academic Press)、１９８８年）およびその他の文献に記載されている。
図５における復調器１０が使用するサンプリングおよび同期クロックは、フィルタ２３５、シンボル・タイミング復元ユニット２４０および出力プロセッサ２５０からなる構成要素によって生成される。プロセッサ２０のアナログ−ディジタル変換器２１０からの出力は、機能構成設定可能なフィルタ２３５によって帯域通過濾波されて、過剰帯域幅ファクタ（ＥＢＦ）によって表される過剰帯域幅（ＥＢ）の変動を補償する。好ましい実施形態では帯域通過フィルタを使用するが、低域通過フィルタのような他の濾波特性のものをＥＢＦ補償に使用してもよい。その結果の得られた出力、スライサ３０および３５への入力信号、およびマルチプレクサ４０の選択スライサ出力が、タイミング復元ユニット２４０によって使用されて、サンプリングおよび同期クロックが生成される。これらの復元されたクロックは、送信機クロックに対応し、復調器１０、プロセッサ２０（特にアナログ−ディジタル変換）および等化器２２０の動作のタイミングを調整するために使用される。
図５におけるタイミング構成要素は、必要なタイミング情報を導出するときにアナログ−ディジタル変換器２１０から供給されるディジタル信号を使用する。変換器２１０によってディジタル化を行う前の信号は全３種類の信号フォーマットについて同じ二乗余弦波形(raised cosine shape)を呈しているが、テーブルＩに詳細に示されている過剰帯域幅ファクタ（ＥＢＦ）の変動がこの波形（形状）を変化させることがある。ＥＢＦは、正確な信号復元を確実に行うのに必要な最小帯域幅を実際のシステム帯域幅がどの程度越えるか、その度合いまたは大きさを示すパラメータである。ＥＢＦと二乗余弦波形は、共に前に挙げた参考文献“ディジタル通信”に記載されている。各入力信号フォーマット間でＥＢＦおよび入力信号波形が変化すると、復元されたタイミング・クロックにエラー（誤差）が生じることがある。このタイミング・エラーを補償するために、アナログ−ディジタル変換器２１０から供給されるＩおよびＱ出力は、ユニット２４０においてタイミングおよびクロック生成が行われる前に、ユニット２３５によって濾波される。フィルタ２３５は、テーブルＩに示された３種類の入力信号フォーマットのＥＢＦ値の各々に対して適正なクロックおよびタイミングの復元が行われるように、変換器２１０から供給されたディジタル・ビデオ信号を濾波するように、マイクロコントローラ１０５によってインタフェース１００を介してプログラム（設定）される。フィルタ２３５は、テーブルＩに記載された３種類の入力信号フォーマットの信号波形およびＥＢＦ値に加えて、それ以外の種々の信号波形およびＥＢＦ値を補償するようにプログラムすることができる。また、フィルタ２３５は、例えばテスト目的のために、濾波を行わずに信号を通過させるようにプログラムすることもできる。
ユニット２４０内において、フィルタ２３５から供給されたエラー補償済みデータが、スライサ３０、３５へのデータ入力およびマルチプレクサ４０からの復元データ出力と比較される。ユニット２４０は、この比較結果に基づいて、シンボル・タイミング出力プロセッサ２５０に供給される位相およびタイミング・エラー信号を導出する。その信号比較およびタイミング・エラー信号導出の処理は、例えば“サンプルされた受信機用のＢＰＳＫ／ＱＰＳＫタイミング・エラー検出器(BPSK/QPSK Timing-Error Detector for Sampled Receivers)”、Ｆ．Ｍ．ガードナー(Gardner)氏、IEEE Transactions on Communications（ＩＥＥＥトランザクションズ・オン・コミュニケーション）、May 1986に詳細に記載された既知の原理に従って実行される。ユニット２４０から供給された位相およびタイミング・エラー信号は、濾波され、出力プロセッサ２５０によって緩衝（バッファ）されて、制御信号がユニット２５０内の電圧制御水晶発振器（ＶＣＸＯ）デバイスに供給される。好ましい実施形態においてＶＣＸＯは別個のデバイスであるが、一体的構成のＶＣＸＯを用いてもよい。ＶＣＸＯへの制御信号入力は、ＶＣＸＯによって出力されるサンプリングおよび同期クロック信号出力の周波数と位相の双方を制御する。このサンプリングおよび同期クロック出力は、アナログ−ディジタル変換器２１０およびその他の復調構成素子によって用いられる。
図１において、機能構成設定可能な復号器１２は、ＤＳＳおよびＤＶＢ信号フォーマットを復号するのに必要な機能を実行する。復号器１２の主要な機能は、パンクチャード畳込みビタビ復号器５０、６０、シンボル−バイト・マッパ（シンボルからバイトへのマッピング器）７０、デインタリーバ回路網７５、８０、８５、９０、９５、リード−ソロモン復号器１１０、およびデスクランブラ（デスクランブル器、暗号解読器）１１５を含んでいる。これらの個々の機能は、既知のものであり、また、例えば、前に挙げた参考文献“ディジタル通信”に記載されている。復号器１２の各構成素子のＤＳＳおよびＤＶＢモードに対する動作特性がテーブルＩＩに示されている。
テーブルＩＩ．ＤＳＳモードおよびＤＶＢモードにおける復号器１２の機能
0003795528.tif 000004
復号器１２は、テーブルＩＩに挙げられた、３種類の入力信号フォーマットに対する、コード・レート（符号化率）、デインタリーバのタイプ、シンボル−バイト・マッピング、およびデスクランブラの各要求の相違に対応することができる。復号器１２の機能の構成を以下説明するように設定することによって、その相違に対応できる。
復号器段５０、６０は、テーブルＩＩに示された種々のコード・レートを復号することができるパンクチャード畳込みビタビ復号器を構成する。ユニット５０、６０は、ユニット２５から出力されてユニット５０の入力に供給された濾波されたディジタル・ビデオ信号出力を処理し、復号し、エラー（誤り）訂正する。これらのユニットは、ランダムな伝送エラーに対して第１のレベルの訂正を施す。ＤＳＳ衛星信号用の機能構成においては、選択可能な２つのコード・レート（２／３または６／７）のうちの１つが選択される。一方、ＤＶＢ衛星信号用の機能構成においては、選択可能な５つのコード・レート（１／２、２／３、３／４、５／６または７／８）の中の１つが選択される。この文脈における用語“コード・レード”は、符号化データによって担持（伝達）されるエラー訂正オーバヘッドとして定義される。また、例えば、コード・レート１／２は、入力データの各１ビットに対して２つのデータ・ビットが符号化されることを意味する。同様に、コード・レート７／８は、入力データの各７ビットに対して８つのデータ・ビットが符号化されることを意味する。伝送データ・ストリームの可変コード・レートは、基本コード・レート１／２を用いて符号化された符号化データストリームからビットを削除することによって実現される。例えば、コード・レート２／３を実現するには、１／２コード・レートで２つの入力データ・ビットを符号化することによって生成される４ビットの中の１ビットが削除されて、残りの３ビットが伝送される。その他のコード・レートもこれと同じ原理を用いて実現できる。
ユニット５０は、“プレース・ホルダ（place holder、位置保持、桁保持）”ダミー・ビットの挿入とビタビ復号とを行うために、ビデオ信号入力データストリームを同期化する機能を含んでいる。これは、受入れ中の特定コードに対して、インタフェース１００を介した制御信号によって機能構成が設定される同期化ステート・マシン（state machine）を用いて実現することができる。同期化は、入力データストリームにおけるビット位置と位相の双方の不明瞭度を識別し解決することによって実現することができる。ビット位置および位相の不明瞭度は、受入れ（入力）、復号、再符号化、およびその再符号化データと入力データの比較からなる一連の処理によって識別することができる。同期化が成功すると、それは再符号化データと元の入力データの間の許容可能なエラー・レート（誤り率）によって示される。この処理を行うために、入力信号における位相およびビット位置の不明瞭度から生じ得る全ての状態が同期化ステート・マシンによってテストされる。同期化が達成されなかった場合には、ユニット５０によってアウト・オブ・ロック（同期外れ、非ロック状態）表示が発生する。この表示が発生すると、復号器１０のＶＣＯ２５５（図５）はコード・タイプおよび機能構成に応じた移相（位相シフト）を入力データストリームに挿入する。この同期化処理は、ロック状態が得られるまで繰返される。この処理は好ましい同期化方法であるが、異なる別の動作シーケンスを用いた他の方法でも同期化は可能である。
上述のようにしてデータストリームが同期化された後、送信機において削除されたビット数と等しい数の置換用“プレース・ホルダ”ダミー・ビットがデータストリーム中に挿入される。ユニット５０中の機能構成設定可能なステート・マシンを用いて、受信データストリームの特定のコード・タイプおよびコード・レートに対して適正な“プレース・ホルダ”ダミー・ビットが挿入される。ユニット５０は、マイクロコントローラ１０５からインタフェース１００を介して伝達された制御信号に応答して、ユニット５０内のレジスタにロードすることによって、選択されたコード・レートに対する機能構成設定を行う。“プレース・ホルダ”ビット挿入ステート・マシンは、ロードされたレジスタ情報に応答して、適正に選択されたコード・レートに対して正確な数のプレース・ホルダ・ビットを挿入するように機能構成が設定される。同様に、ユニット５０のビタビ同期化回路網も、この情報を用いて適正に機能構成が設定される。“プレース・ホルダ”ビット挿入の後で、固定基本コード・レート１／２がユニット５０から出力される。これは、テーブルＩＩに示された種々の伝送コード・レートの全てが、固定基本コード・レート（１／２）で動作する単一のビタビ復号器６０を用いて復号されることを意味する。ユニット５０において挿入された“プレース・ホルダ”ビットは、ビタビ復号器６０内で識別される。このプレース・ホルダ・ビットの識別から得られた情報によって、ビタビ復号器のアルゴリズムはデータを正しく復号できるようになる。その結果得られたビタビ復号器６０の出力はマルチプレクサ６５に供給される。
衛星入力信号用の機能構成において、マルチプレクサ６５は、インタフェース１００からの制御信号に応答して、そのビタビ復号器６０の出力をシンボル−バイト・マッパ７０に供給する。マッパ７０は、ビタビ復号器６０の単一ビット出力を、マップされた８ビット構成の１つのデータ・バイトに変換する。一方、ケーブル信号入力用の機能構成においては、マルチプレクサ６５は、制御信号の状態(status)に応答して、ユニット４５の差分復号出力をマッパ７０に供給する。さらに、ケーブル入力信号用の機能構成においては、マッパ７０の機能は、６４点または２５６点のシンボル座標分布のいずれが選択されるかに応じて決まる。６４点ＱＡＭ座標分布が選択された場合には、マッパ７０は、その座標分布の６４点の各点に対する６ビット構成の１つのシンボル・コードを、マップされた８ビット構成の１つのデータ・バイトに変換する。一方、２５６点ＱＡＭ座標分布用の機能構成においては、マッパ７０は、その座標分布の２５６点の各点に対する８ビット構成の１つのシンボル・コードを、マップされた８ビット構成の１つのデータ・バイトに変換する。シンボル−バイト・マッピング変換は、選択されたシンボル座標分布とシステムの出力バイト要求とに応じて機能が変化する。
マッパ７０のマップ済みデータ出力は、さらに別の処理を行うために同期化ユニット７５およびメモリ９５に供給される。このマップ済みデータ出力は、インタリーブ（間挿）されたデータであり、即ち送信前に所定のシーケンスで配列されたデータである。そのインタリーブ処理を行う目的は、伝送中にデータが失われてもその結果として連続（隣接）するデータが失われないように、データを所定のシーケンスで時間的に拡がらせ分散させることである。その代わりに、どのようなデータの消失または欠落も、分散され、従ってより容易に隠蔽されまたは訂正される。同期化ユニット７５およびメモリ９５は、デインタリーバ・アドレス発生器８０、８５およびマルチプレクサ９０とともに、データを元のシーケンスに復元するまたは回復させるための機能構成設定可能なデインタリーバ機能を構成する。ＤＳＳモードでは、ラムジ(Ramsey)氏によって提案され、“最適インタリーバの実現(Realization of Optimum Interleaver)”IEEE Transactions on Information Theory（ＩＥＥＥトランザクションズ・オン・インフォメーション・セオリ）、vol.IT-15、May 1970に記載されたデインタリーブ・アルゴリズムが使用される。一方、ＤＶＢモードでは、フォーニ(Forney)氏によって提案され、“古典的バースト性チャンネルに対するコードのバースト・エラー訂正(Burst-Correcting Codes for the Classic Bursty Channel)”、IEEE Transactions on Information Theory（ＩＥＥＥトランザクションズ・オン・コミュニケーション・テクノロジー）、vol.COM-19、Oct.1971に記載されたアルゴリズムが使用される。
同期化回路網７５は、インタリーブされたデータ信号における同期ワード(sync)を検出し、データの開始点に同期した出力信号を供給する。同期ワードそのものはインタリーブされないが、時間的に周期的間隔で発生する。同期ワード検出を行う（可動化する）ために、同期ワードおよび予期されるデータ・パケット長を識別する情報がユニット７５内のレジスタにロードされる。この情報は、マイクロコントローラ１０５からインタフェース１００を介して制御信号によって供給される。ユニット８０、８５からのアドレス信号をマッパ７０からのインタリーブされたデータに同期させるために、ユニット７５からの出力同期信号がアドレス発生器８０、８５に供給される。次いで、その発生されたアドレス信号は、マルチプレクサ９０を介してメモリ９５に供給される。
ＤＳＳモードにおいては、マルチプレクサ９０は、制御信号の状態に応答して発生器８０からのアドレス信号をメモリ９５に供給する。ＤＶＢモードにおいては、マルチプレクサ９０は、別の制御信号の状態に応答して発生器８５からのアドレス信号をメモリ９５に供給する。発生器８０はＤＳＳモードにおいて使用されてラムジ形デインタリーブ機能を実行する。また、発生器８５はＤＶＢモードにおいて使用されてフォーニ形デインタリーブ機能を実行する。これらのデインタリーブ機能は、論理ステート・マシンを用いて実行される。発生器８０、８５は、読出しおよび書込みアドレスのシーケンスとそれに関連するメモリ制御信号（例えば、読出し、書込みおよび出力のイネーブル（可動化））とを生成し、これらのシーケンスおよび信号はマルチプレクサ９０を介してメモリ９５に転送される。発生器８０、８５が発生した書込みアドレスのシーケンスは、確実に、マッパ７０からのインタリーブされたデータが、インタリーブされた入力データを受入れた順序でメモリ９５のメモリ位置に書込まれるようにする。また、発生器８０、８５が発生した読出しアドレスのシーケンスは、確実に、所要のデインタリーブされた順序でデータがメモリ９５から読出されるようにする。その結果、メモリ９５からのデインタリーブされた出力データは、リードーソロモン復号器１１０に供給される。機能構成設定可能なデインタリーバ機能の動作に関する別の背景の情報が、Ｊ．Ｓ．スチュワート氏の同時係属中の米国特許出願第08/346,950号に記載されている。
リード−ソロモン復号器１１０は、復号器１２の全てのモードで動作し、メモリ９５からのデインタリーブされた出力データを復号しエラー訂正する。リード−ソロモン復号器１１０は、インタフェース１００からの制御に応答してロードされる内部レジスタによって機能構成設定される。このレジスタにロードされた情報によって、ユニット１１０は、メモリ９５からのデインタリーブされた出力データにおいて予期される特定パケット長のデータを復号するように機能構成設定される。また、その情報はその他の機能構成設定パラメータ、例えば、データにおいて予期されるパリティ・バイトの数およびタイプ、１パケット当たりのエラー訂正バイト数、使用されるリード−ソロモン復号器機能のタイプを選択するパラメータ、等を含んでいる。
ユニット１１０から出力されたリード−ソロモン復号データ出力は、デスクランブラ１１５とマルチプレクサ１２０とに供給される。ＤＳＳモードにおいては、マルチプレクサ１２０は、制御信号の状態に応答してユニット１１０からの復号データを出力プロセッサ１２５に供給する。一方、テーブルＩＩに示したケーブルＤＶＢモードおよび衛星ＤＶＢモードにおいては、ユニット１１０からの復号データは、まずデスクランブラ１１５によってデスクランブル（暗号解読）される。これらのモードにおいては、マルチプレクサ１２０は、別の異なる制御信号の状態に応動して、ユニット１１５からのデスクランブルされた出力を出力プロセッサ１２５に供給する。出力プロセッサ１２５は、マルチプレクサ１２０からの出力データを処理して、図１のシステムの出力データを生成する。プロセッサ１２５は、出力データを他のビデオ受信機処理回路網にインタフェースするのに必要な各機能を実行する。この各機能は、出力データを適正な各論理レベルに適合させる機能と、その出力データ信号に関係するクロック信号を供給する機能とを含んでいて、他のビデオ受信機回路網とのインタフェースの形成を容易にする。最後に、ユニット１２５からの出力データがＭＰＥＧコンパチブル（適合性）トランスポート・プロセッサ１３０によって処理されて、ビデオデータ伸張において使用される同期化およびエラー表示情報が供給される。但し、本発明を用いるシステムにおいてそのＭＰＥＧコンパチビリティ（適合性）は必須のものではない。また、トランスポート・プロセッサ１３０は、ヘッダ情報の解析結果に基づいたタイプに従ってデータを分離する。プロセッサ１３０から出力されたデータ出力はＭＰＥＧ伸張器１３５によって伸張（復元、decompress）されて、ＮＴＳＣ符号化器１４０によってＮＴＳＣフォーマットの信号として符号化するのに適した形のビデオデータが生成される。ユニット１４０から出力されたその伸張され符号化された出力データは、表示装置（図示せず）を含んだ表示処理回路に供給される。
図２の実施形態において、図１の復調器１０および復号器１２は、制御信号によって、ＤＳＳ衛星信号フォーマットを処理するように機能構成設定される。図２に示された回路網は、図１に関連して前に説明した機能と同じ機能を実行する。このＤＳＳモードにおいて、復調器１０のＡＧＣループ（図５および６に関連して説明したもの）は、マルチプレクサ４０を介してＱＰＳＫスライサ出力を使用する。次いで、その結果、ユニット２５から出力された利得制御され濾波されたディジタル・ビデオ信号が、復号器１２のユニット５０および６０によって、処理され、ビタビ復号され、エラー訂正される。このＤＳＳモードにおいて、ユニット５０は、先に規定したように２／３または６／７のコード・レートのいずれかに対して機能構成設定される。その結果、ユニット６０からのビタビ復号出力は、マルチプレクサ６５を介してシンボル−バイト・マッパ７０に転送される。マッパ７０の出力は、例えばラムジ・デインタリーバ機能用に機能構成設定されたユニット７５、８５、９０および９５によってデインタリーブされる。メモリ９５からのデインタリーブ出力は、リード−ソロモン復号器１１０によって復号され、マルチプレクサ１２０を介して出力プロセッサ１２５に転送される。プロセッサ１２５からの復号された復調出力は、図１に関連して説明したように、回路網１３０、１３５および１４０によって処理される。
図３の実施形態において、図１の復調器１０および復号器１２は、制御信号によって、ＤＶＢ衛星信号フォーマットを処理するように機能構成設定される。図３に示された回路網は、図１に関連して前に説明した機能と同じ機能を実行する。このＤＶＢ衛星モードにおいて、復調器１０のＡＧＣループは、ＤＳＳモードの場合のように、マルチプレクサ４０を介してＱＰＳＫスライサ出力を使用する。その結果、次いで、ユニット２５から出力された利得制御され濾波されディジタル化されたビデオ信号出力が、復号器１２のユニット５０および６０によって、処理され、ビタビ復号され、エラー訂正される。このＤＶＢモードにおいては、ＤＳＳモードの場合とは対照的に、ユニット５０は、相異なる５種類のコード・レート（１／２、２／３、３／４、５／６および７／８の各レート）に対して機能構成設定される。その結果、ユニット６０から出力されたビタビ復号出力はマルチプレクサ６５を介してシンボル−バイト・マッパ７０に転送される。マッパ７０の出力は、フォーニ・デインタリーバ機能として機能構成設定されたユニット７５、８０、９０および９５によってデインタリーブされる。メモリ９５からのデインタリーブ出力は、リード−ソロモン復号器１１０によって復号され、ユニット１１５によってデスクランブルされて、マルチプレクサ１２０を介して出力プロセッサ１２５に転送される。プロセッサ１２５からのその復号された復調出力は、図１に関連して説明したように、回路網１３０、１３５および１４０によって処理される。
図４の実施形態において、図１の復調器１０および復号器１２は、制御信号によって、ＤＶＢケーブル信号フォーマットを受入れるように機能構成設定される。図４に示された回路網は、図１に関連して前に説明した機能と同じ機能を実行する。このＤＶＢケーブル・モードにおいて、復調器１０のＡＧＣループは、マルチプレクサ４０を介してＱＡＭスライサ出力を使用する。ＱＡＭスライサは、復調機１０への入力信号に応じて、６４点または２５６点のシンボル座標分布のいずれかに対して機能構成設定される。その結果、マルチプレクサ４０の出力における、選択されたスライサ機能構成によって復元されたデータが、ユニット４５によって差分復号されて、復号器１２のマルチプレクサ６５に供給される。ユニット４５の復号出力は、マルチプレクサ６５を介してシンボル−バイト・マッパ７０に転送される。マッパ７０の出力は、例えばフォーニ・デインタリーバ機能用に機能構成設定されたユニット７５、８０、９０および９５によってデインタリーブされる。メモリ９５からのそのデインタリーブ出力は、リード−ソロモン復号器１１０によって復号され、ユニット１１５によってデスクランブルされて、マルチプレクサ１２０を介して出力プロセッサ１２５に転送される。プロセッサ１２５からの復号された復調出力は、図１に関連して説明したように、回路網１３０、１３５および１４０によって処理される。
復調器１０と復号器１２の双方の機能を構成設定し選択するための機能および手段は、種々の方法で具体的に構成することができる。例えば、機能を選択するためのマルチプレクサを使用する代わりに、機能構成設定可能な論理回路網を用いてこれらの機能を実行することができる。また、選択用のマルチプレクサを使用する代わりに、トライ・ステート（３状態）論理バッファ構成(scheme)を用いて別々の機能出力間での選択を行うことができる。さらに、本発明の原理を適用することによって、他の入力信号フォーマットの復号および復調を行うように機能そのものを変えてもよい。
【図１】
0003795528.tif 000005
【図２】
0003795528.tif 000006
【図３】
0003795528.tif 000007
【図４】
0003795528.tif 000008
【図５】
0003795528.tif 000009
【図６】
0003795528.tif 000010